(57)【要約】      （修正有）【課題】エレベータ制御装置に組込まれている救出運転装置の蓄電器の寿命を正確に評価する。【解決手段】商用電源１から供給された電力をエレベータのかご８を移動させる電動機９に供給する主制御装置２２と、商用電源の停電発生時に蓄電器１５に蓄積された電力を電動機６に供給してエレベータに対して閉込め客に対する救出運転を行う救出運転装置１３ａとを有するエレベータ制御装置において、商用電源１の通常電力供給状態において、電動機に対する制御を商用電源を用いた主制御装置から蓄電器を用いた救出運転装置に一時的に変更して、救出運転装置に、救出運転を力行側運転で実施させ、救出運転期間中における電圧低下特性を求める。【選択図】図１
2008037520.tif 000002
【特許請求の範囲】
【請求項１】
商用電源から供給された電力を電力変換装置で電力変換してエレベータを移動する電動機に供給する主制御装置と、前記商用電源の停電発生時に蓄電器に蓄積された電力を前記電動機に供給して前記エレベータに対して閉込め客に対する救出運転を行う救出運転装置とを有するエレベータ制御装置において、
前記商用電源の通常電力供給状態において、前記電動機に対する制御を商用電源を用いた前記主制御装置から前記蓄電器を用いた前記救出運転装置に一時的に変更する制御切換手段と、
この制御切換手段にて前記電動機に一時的に接続された救出運転装置に、前記救出運転を力行側運転で実施させる救出試験運転手段と、
この救出運転期間中における前記蓄電器の電圧を検出する電圧検出手段と、
この電圧検出手段で検出された救出運転期間中における電圧低下特性を記憶する電圧特性記憶手段と
を備えたことを特徴とするエレベータ制御装置。
【請求項２】
前記電圧特性記憶手段に記憶された電圧低下特性に基づいて前記蓄電器の寿命を予測する寿命予測手段と、
前記電圧特性記憶手段に記憶された電圧低下特性及び前記予測された寿命を外部のエレベータ保守センターへ送信する送信手段と
を備えたことを特徴とする請求項１記載のエレベータ制御装置。
【請求項３】
前記停電発生時に前記救出運転装置が行う救出運転の電力消費に関する複数の救出運転パターンを記憶する救出運転パターン記憶手段と、
前記電圧特性記憶手段に記憶された電圧低下特性に基づいて前記複数の救出運転パターンから一つの救出運転パターンを選択する救出運転パターン選択手段と、
前記停電発生時に、前記救出運転装置に、前記選択された救出運転パターンの救出運転を実行させる最適救出運転実行手段と
を備えたことを特徴とする請求項１又は２記載のエレベータ制御装置。
【請求項４】
前記複数の救出運転パターンは、基準救出運転パターンの他に、この基準運転パターンに対して、加速度を下げる、速度を下げる、走行距離に対して制限を設ける、力行側運転は実行しない、の各救出運転パターンを含むことを特徴とする請求項３記載のエレベータ制御装置。
【請求項５】
前記商用電源の通常電力供給状態時における前記商用電源から前記電力変換装置を経由して前記電動機への主電力供給路を、停電発生時に前記救出運転装置から前記電動機へ向かう停電電力供給路に切換えるために、前記主電力供給路に介挿された複数の接点と、
前記商用電源の通常電力供給状態において、前記複数の接点を切換制御して、前記救出運転装置に、前記蓄電器に蓄積された電力に代えて、前記商用電源から供給される電力を用いて試験救出運転を実施させる接点動作確認手段と
を備えたことを特徴とする請求項１記載のエレベータ制御装置。
【発明の詳細な説明】
【技術分野】
【０００１】
本発明は、エレベータシステムにおいて駆動電力を供給する電源に停電が発生した場合に、エレベータに対して閉じ込め客に対する救出運転を行う救出運転装置を付加したエレベ一タ制御装置に関する。
【背景技術】
【０００２】
図６に、停電発生時にエレベータに対して、閉じ込め客に対する救出運転を行う救出運転装置が組込まれたエレベータシステムのエレベータ制御装置の概略構成を示す。
【０００３】
商用電源１から供給される例えば三相の交流電力は、接点２を介して、主制御装置３内の電力変換装置としての主インバータ装置４で電力変換されて、接点５を介して、電動機６に供給される。この電動機６の回転軸に取付けられたシーブ７に、一端にかご８が取付けられ、他端に釣合錘９が取付けられたロープ１０が掛けられている。
【０００４】
主制御装置３内の通常時運転制御部１１は、各階のエレベータホールに設けられた乗場呼び登録装置におけるボタン操作で登録された乗場呼びの指定する階へエレベータのかご８が移動するように、主インバータ装置４を制御する。
【０００５】
さらに、商用電源１の電動機６に対する電力供給路１２ａ、１２ｂには、主制御装置３に対して並列に救出運転装置１３が接続されている。この救出運転装置１３内には、商用電源１の通常電力供給状態において、この商用電源１から、電力供給路１２ａ、閉成状態の接点２を介して供給される交流電力が充電器１４で直流電力に変換されて蓄電器１５に蓄電される。さらに、この救出運転装置１３内には、停電時運転制御部１６、インバータ装置１７、各接点１８、１９、２０が組込まれている。
【０００６】
主制御装置３内には、商用電源１から供給される電力を監視する停電検出回路２１が設けられており、商用電源１から電力が正常に供給されている状態においては、電力供給路１２ａ、１２ｂに介挿されている各接点２、５を閉成し、救出運転装置１３内の接点１９を開放する。この状態においては、接点１９が開放されており、停電時運転制御部１６は起動しないので、各接点１８、２０は開放状態である。しかし、前述したように、蓄電器１５は充電器１４にて蓄電動作状態を維持する。
【０００７】
また、この状態では、商用電源１から供給される交流電力は、接点２を介して、主制御装置３内の通常時運転制御部１１で制御される主インバータ装置４で電力変換されて、接点５を介して、電動機６に供給される。このように商用電源１の通常電力供給状態においては、エレベータのかご８は主制御装置３内の通常時運転制御部１１で通常運転制御される。
【０００８】
商用電源１に停電が発生すると、主制御装置３内の停電検出回路２１がその停電を検出して、電力供給路１２ａ、１２ｂに介挿されている各接点２、５を開放し、救出運転装置１３内の接点１９を閉成する。この状態においては、接点１９が閉成するので、停電時運転制御部１６には、蓄電器１５から駆動電圧が供給される。その結果、停電時運転制御部１６が起動して、各接点１８、２０を閉成する。したがって、蓄電器１５に蓄電されている直流電力は接点１８を経てインバータ装置１７で交流電力に変換されて、接点２０を経て、電動機６に供給される。
【０００９】
停電時運転制御部１６はインバータ装置１７を制御することにより、エレベータに対して閉込め客に対する救出運転を実施する。具体的には、階と階との中間に停止状態のエレベータのかご８を上下いずれかの最寄り階に移動して、ドアを開いて、かご８に閉じ込められた乗客をエレベータホールに待避させる。
【００１０】
このようなエレベータ制御装置において、停電時に起動する救出運転装置１３では、通常、蓄電器１５として、二次電池である蓄電池を採用している。しかし、蓄電池には寿命があり、その寿命も一定していない。したがって、通常は定期的に実施されるエレベータ保守点検作業において蓄電器１５の交換等の保守点検を実施している。
【００１１】
また、特許文献１には、停電発生等の非常時救出運転装置に組込まれた蓄電池の出力電圧を、この非常時救出運転装置を実際に動作させない、無負荷状態で検出して、出力電圧が予め定められた基準電圧の許容範囲であるか否かを判定し、許容範囲外の場合は警告を出力する技術が開示されている。
【特許文献１】特開平５−７８０５２号公報
【発明の開示】
【発明が解決しようとする課題】
【００１２】
しかしながら上述した各手法においても、まだ解消すべき次のような課題があった。
【００１３】
すなわち、保守員が一定地域内に設置されている各エレベータに対する定期的に実施される保守点検作業で劣化した蓄電器を交換する手法においては、定期的な保守点検が実施されていなかったり、蓄電器の周囲が高温多湿等の環境悪化による劣化が激しく交換前に寿命尽きた蓄電器の場合、いざ停電が発生した場合に、電力が供給されずエレベータの救出運転が出来なくなる不具合事例も散見されている。
【００１４】
また、非常時救出運転装置に組込まれた蓄電池の出力電圧を無負荷状態で検出する手法においては、蓄電池の寿命の評価基準となる物理量を、電圧（Ｖ）×電流（Ｉ）×時間（Ｈ）の電力量（ＷＨ）の低下とすると、電圧（Ｖ）のみで蓄電池の寿命を評価することになり、正確な寿命予測が得られない。
【００１５】
より具体的には、劣化の進んだ負荷を接続していない蓄電池の出力電圧は、新品の蓄電池の出力電圧とほぼ同じレベルを有しているが、負荷を接続すると、急激に低下する。これに対して新品の蓄電池の出力電圧は、負荷を接続しても、劣化の進んだ蓄電池の出力電圧ほど、低下しない。
【００１６】
また、近年、商用電源の停電発生率が低下し、その結果、エレベータ制御装置に組込まれている救出運転装置１３の実働率が大幅に低下している。したがって、この救出運転装置１３を駆動させるときに必要となる各接点２、５、２０等の機械的動作部品が腐食、錆付等に起因して、正常に作動しなくなっており、実際の停電発生時になって初めて、その動作不良に気づく懸念がある。
【００１７】
本発明はこのような事情に鑑みてなされたものであり、エレベータに対する保守員の保守点検の作業効率を向上でき、救出運転装置の蓄電器の寿命を確実に推測でき、停電発生時に閉込め客に対する救出運転を確実に実施でき、かつエレベータ利用客に対する安全性をより一層向上できるエレベータ制御装置を提供することを目的とする。
【課題を解決するための手段】
【００１８】
上記課題を解決するために、本発明は、商用電源から供給された電力を電力変換装置で電力変換してエレベータを移動する電動機に供給する主制御装置と、商用電源の停電発生時に蓄電器に蓄積された電力を電動機に供給してエレベータに対して閉込め客に対する救出運転を行う救出運転装置とを有するエレベータ制御装置において、
商用電源の通常電力供給状態において、電動機に対する制御を商用電源を用いた主制御装置から蓄電器を用いた救出運転装置に一時的に変更する制御切換手段と、制御切換手段にて電動機に一時的に接続された救出運転装置に、救出運転を力行側運転で実施させる救出試験運転手段と、この救出運転期間中における前記蓄電器の電圧を検出する電圧検出手段と、この電圧検出手段で検出された救出運転期間中における電圧低下特性を記憶する電圧特性記憶手段とを備えている。
【００１９】
このように構成されたエレベータ制御装置においては、例えば夜間等のエレベータ利用客が少ない時間帯で、かつ商用電源が停電時でなく通常電力供給状態において、蓄電器を用いた救出運転装置を電動機に切換接続している。この状態で、救出運転装置でエレベータに対して、例えば、停電で停止しているエレベータを最寄り階へ移動させる「救出運転」を実際に実行させている。
【００２０】
そして、救出運転期間中における電圧低下特性を求めている。この電圧低下特性は、蓄電器に実際に負荷（電動機）が接続された状態の特性である。したがって、得られた蓄電器の電圧低下特性の信頼性が向上する。
【００２１】
また、別の発明においては、上記発明のエレベータ制御装置に対して、さらに、電圧特性記憶手段に記憶された電圧低下特性に基づいて前記蓄電器の寿命を予測する寿命予測手段と、電圧特性記憶手段に記憶された電圧低下特性及び前記予測された寿命を外部のエレベータ保守センターへ送信する送信手段とを備えている。
【００２２】
このように構成されたエレベータ制御装置においては、さきに算出された電圧低下特性から寿命が予測され、この寿命及び電圧低下特性はエレベータ保守センターへ送信されるので、エレベータ保守センターにて、遠隔監視できる。
【００２３】
また、別の発明は、上記発明のエレベータ制御装置に対して、さらに、停電発生時に救出運転装置が行う救出運転の電力消費に関する複数の救出運転パターンを記憶する救出運転パターン記憶手段と、電圧特性記憶手段に記憶された電圧低下特性に基づいて前記複数の救出運転パターンから一つの救出運転パターンを選択する救出運転パターン選択手段と、記停電発生時に、前記救出運転装置に、前記選択された救出運転パターンの救出運転を実行させる最適救出運転実行手段とを備えている。
【００２４】
そして、複数の救出運転パターンは、基準救出運転パターンの他に、この基準運転パターンに対して、加速度を下げる、速度を下げる、走行距離に対して制限を設ける、力行側運転は実行しない、の各救出運転パターンを含む。
【００２５】
このように、救出運転装置の蓄電器の残り寿命に応じて、実際に停電発生時に実施される救出運転が最良のパターンで実施されるので、蓄電器の使用可能時間を延ばすことが可能となる。
【００２６】
さらに、別の発明は、上記発明のエレベータ制御装置に対して、さらに、商用電源の通常電力供給状態時における商用電源から電力変換装置を経由して電動機への主電力供給路を、停電発生時に救出運転装置から電動機へ向かう停電電力供給路に切換えるために、主電力供給路に介挿された複数の接点と、商用電源の通常電力供給状態において、複数の接点を切換制御して、救出運転装置に、蓄電器に蓄積された電力に代えて、商用電源から供給される電力を用いて試験救出運転を実施させる接点動作確認手段とを備えている。
【００２７】
このように構成されたエレベータ制御装置においては、例えば夜間等のエレベータ利用客が少ない時間帯で、かつ商用電源が停電時でなく通常電力供給状態において、例えば、１ヶ月に１回程度、たとえば、一定周期で、救出運転装置に、蓄電器に蓄積された電力に代えて、商用電源から供給される電力を用いて試験救出運転を実施させることにより、他の部材に比較して劣化が激しい蓄電器を採用せずに、救出運転装置を試験稼働しているので、エレベータ制御装置自体の信頼性を向上できる。
【発明の効果】
【００２８】
本発明においては、エレベータに対する保守員の保守点検の作業効率を向上でき、救出運転装置の蓄電器の寿命を確実に推測でき、停電発生時に閉込め客に対する救出運転を確実に実施でき、かつエレベータ利用客に対する安全性をより一層向上できる。
【発明を実施するための最良の形態】
【００２９】
以下、本発明の各実施形態を図面を用いて説明する。
【００３０】
（第１実施形態）
図１は本発明の第１実施形態に係わるエレベータ制御装置の概略構成を示すブロック図であり、図６に示す従来のエレベータ制御装置と同一部分には同一符号が付してある。したがって、重複する部分の詳細説明は省略する。
【００３１】
この第１実施形態のエレベータ制御装置においては、商用電源１から供給される例えば三相の交流電力は、電力供給路１２ａ、接点２を介して、主制御装置２２内の電力変換装置としての主インバータ装置４に入力される。なお、電力供給路１２ａ、１２ｂに介挿されている各接点２、５は通常状態においては閉成（ノーマリー・クローズ）されている。
【００３２】
主インバータ装置４は、入力された三相交流を内部に組込まれている整流器で一旦直流に変換して、この直流を同じく内部に組込まれているインバータで通常時運転制御部１１から印加されるＰＤＭ変調信号（パルス幅変調信号）で指定される周波数及び振幅（電圧レベル）を有した三相交流に変換して、接点５、電力供給路１２ｂを介して、三相交流誘導型の電動機６に供給する。
【００３３】
この電動機６の回転軸に取付けられたシーブ７に、一端にかご８が取付けられ、他端に釣合錘り９が取付けられたロープ１０が掛けられている。三相交流誘導型の電動機６は力行運転と回生運転が可能である。力行運転は、外部から供給された電力で回転し、かご８を上下移動させる。一方、回生運転は、かご８、又は釣合錘り９の重力で回転し、回生電力が主インバータ装置４側へ逆流することを示す。
【００３４】
より具体的には、かご８に定員の半数の客が乗車した状態で、重量バランスが均衡するように釣合錘９の重量が設定されている。したがって、乗客が半数以下の場合は、かご８が下降している時に力行運転となり、かご８が上昇している時に回生運転となる。逆に、乗客が半数以上の場合は、かご８が上昇している時に力行運転となり、かご８が下降している時に回生運転となる。
【００３５】
主制御装置２２内には、上述した主インバータ装置４、通常時運転制御部１１の他に、従来のエレベータ制御装置に設けられた停電検出回路２１が設けられている。さらに、主制御装置２２内には、電源回路２３、試験運転指示部２４、主回路切離・救出運転起動部２５、電圧特性測定部２６、特性記憶部２７、電圧特性及び予測寿命を保守センター２８へ送信する特性送信部２９が設けられている。
【００３６】
電源回路２３は商用電源１からの電力を受けて、主制御装置２２内の各部へ駆動電源を供給する。この電源回路２３は蓄電機能を有しており、商用電源１に停電が発生しても、数時間は主制御装置２２内の各部へ駆動電源を供給し続ける。
【００３７】
さらに、商用電源１から電動機６への電力供給路１２ａ、１２ｂに対して主制御装置２２と並列接続されている救出運転装置１３ａ内では、商用電源１の通常電力供給状態において、この商用電源１から、電力供給路１２ａ、閉成状態の接点２を介して供給される交流電力が充電器１４で直流電力に変換されて蓄電器１５に蓄電される。さらに、この救出運転装置１３ａ内には、停電時運転制御部１６、インバータ装置１７、各接点１８、１９、２０が組込まれている。この各接点１８、１９、２０はこの救出運転装置１３ａが稼働していない期間においては開放（ノーマリー・オープン）されている。
【００３８】
さらに、救出運転装置１３ａ内には、蓄電器１５の電圧Ｖを検出する電圧検出器３０が組込まれている。電圧検出器３０で検出された蓄電器１５の電圧Ｖは、主制御装置２２内の電圧特性測定部２６へ入力される。
【００３９】
このようなエレベータ制御装置において、商用電源１から電力が正常に供給されている状態においては、商用電源１から供給される交流電力は、電力供給路１２ａ、接点２を介して、主制御装置２２内の通常時運転制御部１１で制御される主インバータ装置４で電力変換されて、接点５、電力供給路１２ｂを介して、電動機６に供給される。
【００４０】
商用電源１に停電が発生すると、主制御装置２２内の停電検出回路２１がその停電を検出して、電力供給路１２ａ、１２ｂに介挿されている各接点２、５を開放し、救出運転装置１３ａ内の接点１９を閉成する。この状態においては、接点１９が閉成するので、停電時運転制御部１６には、蓄電器１５から駆動電圧が供給される。
【００４１】
その結果、停電時運転制御部１６が起動して、各接点１８、２０を閉成する。したがって、蓄電器１５に蓄電されている直流電力は接点１８を経てインバータ装置１７内に組込まれたインバータで交流電力に変換されて、接点２０を経て、電動機６に供給される。停電時運転制御部１６はインバータ装置１７をＰＷＭ変調信号で制御することにより、エレベータに対して予め設定されている「基準救出運転パターン」に従った閉込め客に対する救出運転を実施する。具体的には、階と階との中間に停止状態のエレベータのかご８を最寄り階（上方又は下方のいずれか近い方の階）に移動して、ドアを開いて、かご８に閉じ込められた乗客をエレベータホールに待避させる。
【００４２】
主制御装置２２内に設けられた主回路切離・救出運転起動部２５は、例えば、予めプログラム設定された月１回の、夜間等のエレベータの利用客がいない時間帯であって、かつ停電検出回路２１が商用電源１の停電を検出してない期間に、電動機６に対する制御を主制御装置２２から救出運転装置１３ａに切換える。具体的には、電力供給路１２ａ、１２ｂの各接点２、５を開放し、救出運転装置１３ａの接点１９を閉じる。さらに、試験指示部２４へ切換通知を行う。その結果、停電時運転制御部１６には、蓄電器１５から駆動電圧が供給され起動する。
【００４３】
一方、試験指示部２４は起動された停電時運転制御部１６に対して、試験運転指示を出力する。具体的には、停電時運転制御部１６に予め設定されている前述した「基準救出運転パターン」を、力行側運転で実行する指示を出力する。
【００４４】
停電時運転制御部１６は、停電発生時と同様に、各接点１８、２０を閉成する。したがって、蓄電器１５に蓄電されている直流電力は接点１８を経てインバータ装置１７内に組込まれたインバータで交流電力に変換されて、接点２０を経て、電動機６に供給される。停電時運転制御部１６はインバータをＰＷＭ変調信号で制御することにより、エレベータに対して予め設定されている「基準救出運転パターン」の救出運転を、試験指示部２４が指示した力行側運転で実行する。
【００４５】
具体的には、夜間で乗客のいない無人の基準階に待機しているかご８を、この基準階の下方に位置する隣接階へ移動させて、ドアを開く。したがって、電動機６は、かご８を基準階から下方の隣接階へ下降させる時に力行運転となる。このように、救出運転を力行側運転で実行することにより、この力行運転を実行するための電力は救出運転装置１３ａの蓄電器１５から供給される。
【００４６】
この試験的な救出運転が終了すると、停電時運転制御部１６は、各接点１８、２０を開放する。その後、主回路切離・救出運転起動部２５は、接点１９を開放し、停電時運転制御部１６を停止し、各電力供給路１２ａ、１２ｂの接点２、５を閉成する。その結果、商用電源１から電力供給路１２ａ、主インバータ装置４、電力供給路１２ｂを介して電動機６に電力が供給される。
【００４７】
この救出運転装置１３ａが力行側運転による救出運転期間ＴS中における蓄電器１５の電圧Ｖは電圧検出器３０で検出されて、主制御装置２２内の電圧特性測定部２６へ入力される。電圧特性測定部２６は、図２に示すように、力行運転における救出運転の開始時刻ｔS（Ｖ＝ＶS）から終了時刻ｔE（Ｖ＝ＶQ）までの救出運転期間ＴSにおける、蓄電器１５の現在時点における電圧低下特性３１を測定する。さらに、この電圧低下特性３１から蓄電器１５の現在時点における電圧低下率Ｂを算出する。
【００４８】
電圧低下率Ｂ＝（ＶS―ＶQ）／ＴS
電圧Ｖが電動機６を駆動する下限電圧ＶLに低下するまでの猶予時間ＴBが救出運転期間ＴSまで低下すると、この蓄電器１５は寿命が尽きたと見なせる。
【００４９】
図２に、この蓄電器１５の新品時の電圧低下特性３２、新品時の電圧低下率Ａ、新品時の猶予時間ＴAを示す。なお、救出運転の開始時刻ｔSにおける電圧Ｖ（＝ＶS）は、前述したように、新品時と現在時点とはほぼ同一である。終了時刻ｔE（Ｖ＝ＶR）とする。
【００５０】
新品時の電圧低下率Ａ＝（ＶS―ＶR）／ＴS
したがって、蓄電器１５の現在時点における残り寿命は、現在時点の猶予時間ＴBの新品時の猶予時間ＴAに対する割合として求めることが可能である。
【００５１】
電圧特性測定部２６は、測定した蓄電器１５の現在時点の電圧低下特性３１、及び算出した寿命を特性記憶部２７へ書込む。特性送信部２９は、特性記憶部２７に記憶されている蓄電器１５の現在時点の電圧低下特性３１及び寿命を、例えば通信回線で接続された保守センター２８へ送信する。
【００５２】
このように構成された第１実施形態のエレベータ制御装置においては、主回路切離・救出運転起動部２５が、各接点２、５を開放して、例えば夜間等のエレベータ利用客が少ない時間帯で、かつ商用電源１が停電時でなく通常電力供給状態において、蓄電器１５を用いた救出運転装置１３ａを電動機６に切換接続している。
【００５３】
この状態で、救出運転装置１３ａの停電時運転制御部１６が、エレベータに対して、例えば、当該エレベータが停電で停止していると仮定して、エレベータを最寄り階へ移動させる力行運転側の「救出運転」を実際に実行させている。
【００５４】
そして、図２に示すように、救出運転期間ＴS中における電圧低下特性３１を求めている。この電圧低下特性３１は、蓄電器１５から実際に電動機６に電力が供給されている状態の特性である。したがって、電圧特性測定部２６で得られた蓄電器１５の電圧低下特性３１の信頼性が向上する。さらに、電圧低下特性３１から寿命が予測され、この寿命及び電圧低下特性は保守センター２８へ送信されるので、エレベータ保守センター２８のオペレータは各エレベータの設置位置に実際に行くことなく、遠隔監視できる。
【００５５】
（第２実施形態）
図３は本発明の第２実施形態に係わるエレベータ制御装置の概略構成を示すブロック図であり、図１に示す第１実施形態のエレベータ制御装置と同一部分には同一符号が付してある。したがって、重複する部分の詳細説明は省略する。
【００５６】
この第２実施形態のエレベータ制御装置においては、主制御装置２２ａ内に、前述した電圧特性測定部２６に加えて、救出運転パターンメモリ３３、実行パターン判定部３４、救出運転パターン送信部３５が設けられている。その他の構成は、図１に示す第１実施形態のエレベータ制御装置とほぼ同じであるので、説明を省略する。
【００５７】
救出運転パターンメモリ３３内には、実際の停電発生時に救出運転装置１３ａの停電時運転制御部１６ａが実際に行う救出運転の図４（ａ）、（ｂ）、（ｃ）に示す５つの救出運転パターンが記憶されている。５つの救出運転パターンとは、第１実施形態の停電時運転制御部１６に設定されていた図４（ａ）、（ｂ）、（ｃ）で実線で示す基準救出運転パターン３６と、この基準救出運転パターン３６に対して、図４（ａ）に波線で示す加速度を下げる救出運転パターン３７、図４（ａ）に波線で示す速度を下げる救出運転パターン３８、図４（ｂ）に波線で示す走行距離に対して制限を設ける救出運転パターン３９、及び図４（ｃ）に波線で示す力行側運転は実行しない救出運転パターン４０である。
【００５８】
基準救出運転パターン３６は、停電発生時に最も短時間で救出運転を終了させる運転パターンであり、最寄り階が力行運転側に位置する場合は消費電力が最も大きい。したがって、この基準救出運転パターン３６は、蓄電器１５が正常状態の場合に採用される。
【００５９】
走行距離に対して制限を設ける救出運転パターン３９とは、仮に、基準救出運転パターン３６にエレベータの移動先が最寄り階でなくて特定階の場合は、移動先を特定階より近い最寄り階とする救出運転パターンである。
【００６０】
力行側運転は実行しない救出運転パターン４０を説明する。前述したように、基準救出運転パターン３６においては、図４（ｃ）に示すように、最寄り階が力行運転側に位置する場合は消費電力が最も大きい。これに対して、この力行側運転は実行しない、すなわち回生運転の救出運転パターン４０においては、回生運転側に位置する最寄り階へ移動させる。したがって、最寄り階が回生運転側に位置する場合は、基準救出運転パターン３６と一致する。回生運転の場合は、蓄電器１５から電動機６に対する電力供給はない。
【００６１】
加速度低下救出運転パターン３７、及び速度低下救出運転パターン３８においても、図４（ｃ）に示すように、救出運転の所要時間は長くなるが、瞬時の電流値を低下できる。
【００６２】
このように、各救出運転パターン３７、３８、３９、４０においては、基準救出運転パターン３６に比較して、消費電力を抑制できる。
【００６３】
電圧特性測定部２６は、前述したように、現在時点における蓄電器１５の図２に示す電圧低下特性３１、及び寿命を算出して、実行パターン判定部３４へ送出する。実行パターン判定部３４は、現在時点における蓄電器１５の電圧低下特性３１及び寿命に基づいて、救出運転パターンメモリ３３に記憶されている５つの救出運転パターン３６、３７、３８、３９、４０から最適の１つの救出運転パターンを判定して救出運転パターン送信部３５へ知らせる。
【００６４】
具体的には、実行パターン判定部３４は、電圧低下特性３１及び寿命が新品の蓄積器の電圧低下特性３１及び寿命に近似している場合には、基準救出運転パターン３６を選択する。電圧低下特性３１及び寿命が新品の蓄積器の電圧低下特性３１及び寿命に比較して低下（劣化）している場合は、その低下（劣化）の程度に応じて選択する。最も低下（劣化）が進んでいる場合は、力行側運転は実行しない回生運転の救出運転パターン４０を選択する。さらに、中間の劣化の場合、劣化の大きい順に、距離救出運転パターン３９、加速度低下救出運転パターン３７、速度低下救出運転パターン３８をそれぞれ選択する。
【００６５】
救出運転パターン送信部３５は、選択された救出運転パターンを救出運転装置１３ａの停電時運転制御部１６ａへ設定する。停電時運転制御部１６ａは、商用電源１に実際に停電が生じた時に、エレベータに対して、救出運転パターン送信部３５にて設定された救出運転パターンの救出運転を実行する。
【００６６】
このように構成された第２実施形態のエレベータ制御装置においては、救出運転パターンメモリ３３には、基準救出運転パターン３６の他に、この基準運転パターン３６に対して、加速度を下げる、速度を下げる、走行距離に対して制限を設ける、力行側運転は実行しない、の各救出運転パターン３７〜４０が記憶されている。したがって、救出運転装置１３ａの蓄電器１５の残り寿命に応じて、実際に停電発生時に実施される救出運転が最良のパターンで実施されるので、蓄電器１５の使用可能時間を延ばすことができ、エレベータ制御装置のメンテナンス費用を節減できる。
【００６７】
（第３実施形態）
図５は本発明の第３実施形態に係わるエレベータ制御装置の概略構成を示すブロック図であり、図１に示す第１実施形態のエレベータ制御装置と同一部分には同一符号が付してある。したがって、重複する部分の詳細説明は省略する。
【００６８】
この第３実施形態に係わるエレベータ制御装置においては、主制御装置２２ｂ内には、接点確認部４１が設けられており、救出運転装置１３ｂ内において、商用電源１の電源供給路１２ａに介挿された接点２とインバータ装置１７の接点１８側との間に、接点４２と整流器４３の直列回路が介挿されている。
【００６９】
接点４２は、通常状態では開放（ノーマリーオープン）されており、主制御装置２２ｂの接点確認部４１が、商用電源１の電源供給路１２ｂに介挿された接点５、救出運転装置１３ｂ内の接点２０の動作確認を実施する場合に、接点確認部４１の指示に応じて閉成される。
【００７０】
主制御装置２２ｂの接点確認部４１は、主回路器切離・救出運転運起動部２５と同様に、例えば、予めプログラム設定された月１回の、夜間等のエレベータの利用客がいない時間帯であって、かつ停電検出回路２１が商用電源１の停電を検出してない期間に、電動機６に対する制御を主制御装置２２から救出運転装置１３ｂに切換える。具体的には、電力供給路１２ｂの各接点５を開放し、救出運転装置１３ａの接点４２、１９を閉じる。さらに、試験指示部２４へ切換通知を行う。その結果、停電時運転制御部１６ａには、蓄電器１５から駆動電圧が供給され起動する。
【００７１】
一方、試験指示部２４は起動された停電時運転制御部１６ａに対して、試験運転指示を出力する。具体的には、停電時運転制御部１６ａに予め設定されている前述した「基準救出運転パターン」を実行する指示を出力する。
【００７２】
停電時運転制御部１６ａは、接点確認部４１に起因して起動された場合は、接点２０を閉成するが、接点１８を開放状態に維持する。この状態においては、インバータ装置１７には、蓄電器１５からの直流電力は供給されない。しかし、商用電源１から出力され、接点２、４２を経て整流器４３で整流された直流電力がインバータ装置１７に印加される。
【００７３】
したがって、商用電源１から出力された交流電力は救出運転装置１３ｂの整流器４３、インバータ装置１７内に組込まれたインバータで交流電力に変換されて、接点２０を経て、電動機６に供給される。停電時運転制御部１６ａはインバータ装置１７をＰＷＭ変調信号で制御することにより、エレベータに対して予め設定されている「基準救出運転パターン」に従った閉込め客に対する救出運転を実施する。
【００７４】
その他の動作は、図１に示す第１実施形態のエレベータ制御装置と同じであるので、説明を省略する。
【００７５】
このような構成の第３実施形態のエレベータ制御装置においては、前述した、第１、第２実施形態と同様に、例えば夜間等のエレベータ利用客が少ない時間帯で、例えば、１ヶ月に１回程度、救出運転装置１３ｂに対して、自己救出運転装置１３ｂに組込まれた蓄電器１５に蓄積された電力に代えて、商用電源１から供給される電力を用いて、エレベータに対して、試験救出運転を実施させている。
【００７６】
このように、他の部材に比較して劣化が激しい蓄電器１５の電力を採用せずに、救出運転装置を試験稼働しているので、試験稼働に起因する蓄電器１５の劣化をおこすことなく、エレベータ制御装置自体の信頼性を向上できる。なお、蓄電器１５の劣化確認は、第１、第２実施形態と同様な手法で実施している。
【００７７】
さらに、機械的な各接点５、２０を定期的に開閉動作させているので、各接点の機械的動作部品が腐食、錆付等に起因して動作不良になると、実際の停電発生前に対策を講じることができる。その結果、エレベータ制御装置自体の信頼性をさらに向上できる。
【図面の簡単な説明】
【００７８】
【図１】本発明の第１実施形態に係わるエレベータ制御装置の概略構成を示すブロック図
【図２】同実施形態エレベータ制御装置の電圧測定部測定された電圧低下特性を示す図
【図３】本発明の第２実施形態に係わるエレベータ制御装置の概略構成を示すブロック図
【図４】同実施形態エレベータ制御装置の救出運転パターンメモリに記憶された救出運転パターンを示す図
【図５】本発明の第３実施形態に係わるエレベータ制御装置の概略構成を示すブロック図
【図６】従来のエレベータ制御装置の概略構成を示すブロック図
【符号の説明】
【００７９】
１…商用電源、２，５，１８，１９，２０，４２…接点、４…主インバータ装置、６…電動機、８…かご、９…釣合錘、１１…通常時運転制御部、１２ａ，１２ｂ…電力供給路、１３，１３ａ，１３ｂ…救出運転装置、４１…充電器、１５…蓄電器、１６，１６ａ…停電時運転制御部、１７…インバータ装置、２１…停電検出回路、２２，２２ａ，２２ｂ…主制御装置、２４…試験運転指示部、２５…主回路切離・救出運転起動部、２６…電圧特性測定部、２７…特性記憶部、２８…保守センター、２９…特性送信部、３０…電圧検出器、３１…電圧低下特性、３３…救出運転パターンメモリ、３５…救出運転パターン送信部
【図１】
2008037520.tif 000003
【図２】
2008037520.tif 000004
【図３】
2008037520.tif 000005
【図４】
2008037520.tif 000006
【図５】
2008037520.tif 000007
【図６】
2008037520.tif 000008